(57)【要約】      （修正有）【課題】簡単、安価、ロバストなウッドチップを乾燥する方法、装置を提供する。【解決手段】ガス生成リアクター（６）の原料として使用されるウッドチップを作成するものであり、その生成ガスが、コジェネレーター（ＢＨＫＷ）中で使用される。ＢＨＫＷの構造体又はハウジングからの熱の放出によって加熱される空気は、乾燥バンカー（３）中でウッドチップを加熱して乾燥させる。ウッドチップは、第一の気密なエアロック（２）を介して該乾燥バンカーに導入され、第二の気密なエアロック（４）を介して乾燥バンカーから排出される。【選択図】図１
2017090032.tif 000002
【特許請求の範囲】
【請求項１】
ガス生成リアクター（６）の原料として使用されるウッドチップであり、その生成ガスが、少なくとも部分的にコジェネレーター（ＢＨＫＷ）中で使用される、該ウッドチップを乾燥させる方法であって、該ＢＨＫＷの建造物又はハウジングからの熱の放出によって加熱される空気が、乾燥バンカー（３）中で該ウッドチップを加熱して乾燥させ、及び、該ウッドチップが、第一の気密なエアロック（２）を介して該乾燥バンカー（３）に、そして、第二の気密なエアロック（４）を介して該乾燥バンカー（３）から導入されることを特徴とする、上記の方法。
【請求項２】
前記加熱された空気が、下方の領域で乾燥バンカー（３）に供給され、そして冷却された湿性空気が、上方の領域で該乾燥バンカーから放出されることを特徴とする、請求項１に記載の方法。
【請求項３】
前記加熱された空気が、該ウッドチップに対して対向流で動くことを特徴とする、請求項１に記載の方法。
【請求項４】
ウッドチップの貯蔵器及びリアクター（６）及び、個々の構成部材を接続し、個々の媒体のためのコンベアを備え、建造物又はハウジング内に配置されたＢＨＫＷを備えた、請求項１に記載の方法を遂行するための装置であって、前記貯蔵器とリアクター（６）との間に乾燥バンカー（３）が設けられ、該バンカーは、ウッドチップのために、インレット及びアウトレットのそれぞれが気密性のエアロックを備えており、及び、ＢＨＫＷの建造物又はハウジングから該乾燥バンカーに至る加熱空気ラインが設けられ、そして、該乾燥バンカーが、冷却され、加湿された空気のための少なくとも一つのアウトレットを有することを特徴とする、上記の装置。
【請求項５】
前記乾燥バンカー（３）において、前記ウッドチップのためのインレット及び前記冷却され、加湿された空気のためのアウトレットが、該装置の上方の領域に配置され、そして、前記ウッドチップのためのアウトレット及び前記冷却され、加湿された空気のためのインレットが、該装置の下方の領域に配置されることを特徴とする、請求項４に記載の装置。
【請求項６】
前記乾燥バンカー（３）が、前記リアクター（６）のすぐ隣に配置されることを特徴とする、請求項４又は５に記載の装置。
【請求項７】
前記乾燥バンカー（３）が、前記リアクター（６）の上に配置されることを特徴とする、請求項６に記載の装置。
【請求項８】
前記乾燥バンカー（３）がそのエアロック（４）により、前記リアクター（６）の頭部に積載されていることを特徴とする、請求項７に記載の装置。
【発明の詳細な説明】
【技術分野】
【０００１】
本発明は、本出願人の未だ公開されていない欧州特許第１５１５８８２８．８号明細書（特許文献１）に開示され、コージェネレーションシステムと組み合わせて運転されるようなガス発生装置（リアクター）の原料としてのウッドチップを乾燥させる、請求項１及び請求項４に記載の方法及び装置に関する。そのような木質ガス化リアクターに供給されるウッドチップは、重量％で計算したウッドチップの乾燥重量に対して、最大１５％の湿度を有するものであるべきである。
【０００２】
”生の”ウッドチップは、通常、３５〜５０重量％の湿度を有するため、従来技術では、大抵の場合、ウッドチップの別の使用のエネルギー流（外部エネルギー）とは独立したエネルギーを要する特別な乾燥機において乾燥土壌の上で乾燥され、そして、それから、一つ又は二つ以上のバンカー中で中間貯蔵される。その貯蔵過程により、周囲環境の空気からウッドチップは再び湿気を取り込むため、その乾燥程度を考慮しなければならない。乾燥機及びバンカーは、スペース、それに伴う投資及び必要な保守を要する。
【０００３】
リアクター中に発生した多量の熱にも拘わらず、リアクターへ導入する際、又は導入した後のウッドチップの乾燥は不可欠である。というのも、リアクター温度に達するのに必要な気化熱により、Ｂｏｕｄｏｕａｒｄｓｃｈｅｎ平衡に準拠して合成ガスを生成するのに必要な温度にもはや到達しないからである。
【０００４】
様々な装置において、出発原料の乾燥の一部に熱伝達を用いた文献として、米国特許出願第２０１３／２５７  ０５９号明細書（ｋｏｍｐａｋｔｅ  Ａｎｌａｇｅ  ｚｕｒ  Ｖｅｒｇａｓｕｎｇ  ｖｏｎ  Ｂｉｏｍａｓｓｅｎ  ｚｕｒ  Ｓｔｒｏｍｇｅｗｉｎｎｕｎｇ（特許文献１））、ドイツ国特許第４３  ０８  ５２２号明細書（Ｌｕｆｔｅｒｈｉｔｚｕｎｇ  ｚｕｒ  ｉｎｄｉｒｅｋｔｅｎ  Ｌｕｆｔｅｒｗａｅｒｍｕｎｇ  ｆｕｅｒ  Ｔｒｏｃｋｎｕｎｇｓａｎｌａｇｅｎ（特許文献２））、国際公開第０３／０４２  ５２０号パンフレット（Ｔｒｏｃｋｎｕｎｇ  ｍｉｔ  ｄｅｒ  Ｒｅｓｔｗａｅｒｍｅ  ｖｏｎ  Ａｂｇａｓｅｎ（特許文献３））、欧州特許第２  ３４１  ２２９号明細書（Ｎｕｔｚｕｎｇ  ｖｏｎ  Ｔｕｒｂｉｎｅｎａｂｇａｓ  ｚｕｒ  Ｂｒｅｎｎｓｔｏｆｆｔｒｏｃｋｎｕｎｇ（特許文献４））、欧州特許第２  ９０２  ７３８号明細書（同様（特許文献５））及びドイツ国特許第０  ２０１４  ００９３５１号明細書（Ｎｕｔｚｕｎｇ  ｖｏｎ  Ａｂｗａｅｒｍｅ  ｉｎ  Ｆｏｒｍ  ｖｏｎ  ｄｅｒｅｎ  Ｓｔｒａｈｌｕｎｇｓｅｎｅｒｇｉｅ（特許文献６））を挙げることができる。これらの装置及び方法の全ては複雑な装置を必要とし、そして、それぞれのリアクタープロセスに影響し、これは、常に、頻繁に制御不能な副次的影響を伴う複雑な推論に導く。さらに、最終的に有毒で有害な排ガスの取り扱い及び操作は、常に、疑わしいものであり、そして、そのような二次的な利用時に、規定の、そして、常に努力を要するその後の精製が複雑かつ煩雑なものとなる。
【先行技術文献】
【特許文献】
【０００５】
【特許文献１】米国特許出願第２０１３／２５７  ０５９号明細書
【特許文献２】ドイツ国特許第４３  ０８  ５２２号明細書
【特許文献３】国際公開第０３／０４２  ５２０号パンフレット
【特許文献４】欧州特許第２  ３４１  ２２９号明細書
【特許文献５】欧州特許第２  ９０２  ７３８号明細書
【特許文献６】ドイツ国特許第０  ２０１４  ００９３５１号明細書
【発明の概要】
【発明が解決しようとする課題】
【０００６】
本発明の目的は、簡単で安価な方法手順、及びそれに対応する費用対効果の高い、ロバストで、プラント技術的な装置を提供することである。
【課題を解決するための手段】
【０００７】
本発明によれば、これは、特許請求の範囲の独立請求項の特徴部分に記載の特徴を備えた方法又は装置によって達成される。言い換えると、該方法は次から構成される：可能な限りリアクターの直接上流にあるバンカーにおいて、このバンカー中に、リアクターに供給された量分が上から下へ単位時間あたりに応じて移動し、下方の領域では、ブロック加熱機器からの排気が供給され、そして、これは、対向流で、該バンカーを介して上方に向かって誘導される。補充するために、特に、開始するために、外部のエネルギーを用いた熱交換によって加熱された空気を吹き込むことを企図することができる。対応するプラント技術的な教示が、本発明により提供され、本発明の方法手順が進行されるバンカーは、可能な限りリアクターの直前に設けられ、プラント技術的な観点から好ましくはバンカーの上の方において、そして、ブロック加熱機器の排気が、適当な制御デバイスによって少なくとも部分的に制御され、バンカーの下方の領域に適した量で導かれ、そして、その上方の領域で取り出される。好ましくは、原料流は、可能な限り気密なエアロック、好ましくは、ロータリーバルブ等を介して、バンカーに供給されるか、又はそこから取り出される。
【０００８】
それ故、（少なくとも主として）使用されるエネルギーは、エンジンブロックの熱及び放出損失に由来し、それらが収容されるそのハウジング及び構造物中で得られるため、事実上”無料”である。本発明の方法手順によって、乾燥したウッドチップはもはや周囲空気と接触することがないため、湿度を取り込むことはない。費用のかかる乾燥土壌及び中間バンカーは完全に排除される。
【０００９】
以下に、本発明を図面に基づいてより詳細に説明する。
【図面の簡単な説明】
【００１０】
【図１】図１は、本発明のフロー図を非常に概略的に示す図である。
【図２】図２は、個々の構成要素の概略的な配置を示す図である。
【００１１】
図１からわかるように、例えば、ロータリーバルブのような気密なロック２に、供給ライン１を介して、ぼた山からタンク又はバンカー等にガス化すべき原料、木材が細断された形態で到達する。そこから、原料は乾燥バンカー３中へ落下又は滑落し、その下端部で、気密なロック４を介して再び取り出され、場合によっては、そして中間ライン５を介して、実際のリアクター６に到達する。
【００１２】
リアクター６は、従来技術から様々な実施形態で知られていることから、冗長さを避けるために、この時点では詳細に説明しない。そのリアクター６から少なくとも一つの生成ガスライン７が導出されており（図面では、全く概略的に、底部から出ているが、多くの場合、存在する領域よりもさらに上から出る）、それにより該生成ガスは、さらなる使用のために輸送されることだけが把握されるべきである。この使用は、ここでは少なくとも一つのブロック加熱機器（ＢＨＫＷ）を含む。
【００１３】
経験により、ＢＨＫＷ、及び、−しばしばそれと同一視されるもの−が収容される構造物中では、その熱放出によって、周囲におけるよりも、又は静止しているＢＨＫＷにおけるよりも明らかに高い温度が優勢を占める。本発明によれば、加熱空気が蓄積されているＢＨＫＷから、好ましくはその頂部領域又はカバー領域から、調節可能な加熱空気ライン８が乾燥バンカー３の下方領域中へ誘導され、そして、そこでその内部の一つ、好ましくは又は二つ以上のノズル状の開口部中に流れ込む。ＢＨＫＷ−構造物における熱放出によって加熱された、この供給された加熱空気が、この場合、供給される原料を乾燥するのに利用され、そして、これは、対向流で加熱もされ、該加熱空気は今や湿気を帯び、乾燥バンカー３の上方領域において、一つ、好ましくは又は二つ以上の取り出し開口部、次いで、環状ライン等、そして排気ライン９を介して排出される。この冷却されそして、湿気を帯びた空気は無害であり、場合によってはろ過後に環境中に排出される。
【００１４】
この種類の乾燥によって、リアクター６中で容易かつ恒久的に、運転状態を保てることが達成され、これは木材ガス化に特に好ましくかつ有利である。乾燥が行われる乾燥バンカー３及びリアクター６は、空間的に可能な限り互いに間隔を詰めて配置され、その結果、リアクターへ送り込まれる物品、つまり、すでに入手された原料、ウッドチップだけでなく、加熱の形態の熱エネルギーもまた、予備加熱と同等にリアクターへフィードバックされるという点で特に有利であることが見出されている。非常に概略的な図１に関して、これは、中間ライン５の代わりに、ロック４が直接リアクター６の頭部に存在していることを意味する。したがって、Ｂｏｕｄｏｕａｒｄｓｃｈｅｎ平衡エネルギー好都合な面を達成するのに必要なエネルギーが、特に有利な方法で達成される。
【００１５】
すでに述べたように、さらに、空間的に近接している場合には、加熱及び乾燥が、常に、原材料がリアクター（コンバーター）中へ送り込まれた、出来るだけ直後にだけ、少なくとも本質的に、外部エネルギーの使用も可能であることも保証されることも見出された。というのも、乾燥に使用されるエネルギーを最大限リアクターに再び導入することによって、これが最も重要な役割を果たしているためであり、それ故、熱損失を低く抑えることができる。木質のガス化の開始及び運転状況に対して、好ましい企画は、追加的な外部エネルギー熱だけが利用できる。その際、空気（周囲環境空気、構造物からの排気等）は、外部エネルギーにより熱交換器で、好ましくは、乾燥バンカーを介した送風により、ＢＨＫＷの代わりに、又はそれに追加して、下から上へと加熱される。この形態又は開始支援は図１に示されていない。
【００１６】
図２は、一方で、上述の外部加熱１０、そして他方で、これまでの変形として、ＢＨＫＷから、外部で加熱された、又は組合せの加熱された空気が、本質的に水平に、そしてそれ故、横方向の流れで乾燥バンカー３を通って吹き込まれる。ロック２、４はスライダー又は回転スライダーであり、そのインレットノズル又はアウトレット開口部の形成は、本発明の知見の当業者によって容易に実施される。そのような配置は、様々な設置状況において、利用可能な常設スペースを利用することができ、熱及び方法技術的な違いは、本発明の専門的な知識で判断することが容易であると考慮さる。
【００１７】
そのようなプロセス手順、乾燥バンカーの可能な限り良好な熱絶縁及び可能な限りリアクターに近くを除く、可能な限り暖かい場所での格納庫の配置は、上述実施形態に従うことにより、当業者にとってこれ以上驚くべきことではない。
【００１８】
また、本明細書及び特許請求の範囲において使用される、材料に関する”大部分”という語は、５０重量％超、好ましくは８０重量％超、特に好ましくは９５重量％超を意味し、そして、リアクター、フィルター、構造物又は装置、又は、より一般的には対象物の”下方の領域”は、全体の高さの下半分、特に下の４分の１を意味し、”最下部領域”という語は、下から４分の１、特には、もっと小さい部分を意味し、そして、”中心領域”という語は、全体の高さの中央の３分の１を意味する。これらの指標の全ては、”上”、”下”、”前”、”後ろ”等も同様に、それらが一般的に有する意味であり、その意図した位置で観察された対象物に適用される。
【００１９】
”本質的に”という語は、本明細及び特許請求の範囲において、物理的に可能な場合に、所与の値から１０％の逸脱であること、そして、それが下向きと上向きの両方があり、そうでない場合にのみ意味のある方向で区切られ、それ故、程度の指標（角度及び温度）は、±１０である。
【符号の説明】
【００２０】
０１    供給ライン
０２    気密なエアロック
０３    乾燥バンカー
０４    気密なエアロック
０５    中間ライン
０６    リアクター
０７    生成物ライン
０８    加熱空気ライン
０９    排気ライン
１０    外部加熱
ＢＨＫＷ    コジェネレーター
【図１】
2017090032.tif 000003
【図２】
2017090032.tif 000004
【外国語明細書】
2017090032000001.pdf